(57)【要約】【解決手段】接着剤が塗布された貼着面を有する貼着シールを塑性変形可能な芯材５の外周に対しその貼着面を内側にして巻き、芯材５の両端部５ａに貼着シールを巻いてなる折曲部６と、両折曲部６間の芯材５に貼着シールを巻いてなる巻取部７とを設けている。その貼着シールを芯材５側から突出させて露出させた貼着面を剥離シールで覆って取着部９を設けている。取着部９と両折曲部６との間に段差部１０を形成している。取着部９は袋の開口部に対しその周縁部に沿う横方向Ｘへ貼り付けられる貼着面を有する。巻取部７は袋の開口部側がその周縁部に対し直交する縦方向Ｚへ巻かれる。両折曲部６は巻取部７の横方向Ｘの両側から突出する。折り曲げた両折曲部６と巻取部７との間で袋の開口部側を挟持する。【効果】各種形態の袋に使用する閉鎖具１において、開口部の開閉を容易にするとともに、収容物の量に応じて袋の容積を変更することができる。【選択図】図１
2006001624.tif 000002
【特許請求の範囲】
【請求項１】
袋の開口部に対しその周縁部に沿う横方向へ貼り付けられる貼着面を有する取着部と、この袋の開口部側がその周縁部に対し直交する縦方向へ巻かれる巻取部と、この取着部及び巻取部の横方向両側のうち少なくとも一方の側から突出する折曲部とを備え、折り曲げた折曲部と巻取部との間で袋の開口部側を挟持することを特徴とする袋開口部閉鎖具。
【請求項２】
前記取着部と巻取部とは袋の開口部の縦方向で互いに並設され、前記巻取部と折曲部とは袋の開口部の横方向で互いに並設され、この取着部と折曲部との間に段差部を形成したことを特徴とする請求項１に記載の袋開口部閉鎖具。
【請求項３】
前記取着部は、接着剤が塗布された貼着面を覆う剥離シールを有していることを特徴とする請求項１または請求項２に記載の袋開口部閉鎖具。
【請求項４】
前記折曲部はその折り曲げ方向で塑性変形し得ることを特徴とする請求項１または請求項２または請求項３に記載の袋開口部閉鎖具。
【請求項５】
接着剤が塗布された貼着面を有する貼着シールを塑性変形可能な芯材の外周に対しその貼着面を内側にして巻き、この芯材の両端部に貼着シールを巻いてなる折曲部と、この両折曲部間の芯材に貼着シールを巻いてなる巻取部とを設けるとともに、その貼着シールを芯材側から突出させて露出させた貼着面を剥離シールで覆って取着部を設け、この取着部と両折曲部との間に段差部を形成したことを特徴とする袋開口部閉鎖具。
【請求項６】
前記取着部は、貼着面を複数の横方向寸法に変更し得る切断可能線を有していることを特徴とする請求項１から請求項５のうちいずれかの請求項に記載の袋開口部閉鎖具。
【発明の詳細な説明】
【技術分野】
【０００１】
本発明は各種形態の袋の開口部を閉塞するための袋開口部閉鎖具に関するものである。
【背景技術】
【０００２】
従来、物を収容するための各種形態の袋においては、最初の開封前の状態で開口部が閉鎖されている。一部の袋では開封後に開口部をチャックなどにより再度閉鎖することができる。
【発明の開示】
【発明が解決しようとする課題】
【０００３】
しかし、開封後に開口部を輪ゴムやクリップなどにより止めて再度閉鎖する必要がある袋も多く、そのような袋では、開封後に開口部を再度閉鎖したり開放したりすることが面倒であった。また、たとえチャックなどにより再度閉鎖することができても、袋に収容された物の量が減ると、袋内に不必要な空間が残るため、袋内で物が不用意に動くとともに袋が嵩張って好ましくない。
【０００４】
この発明は、各種形態の袋に使用する閉鎖具において、開口部の開閉を容易にするとともに、収容物の量に応じて袋の容積を変更することを目的としている。
【課題を解決するための手段】
【０００５】
後記実施形態の図面（図１〜４）の符号を援用して本発明を説明する。
請求項１の発明にかかる袋開口部閉鎖具は下記のように構成されている。
この袋開口部閉鎖具（１）は、袋（１１）の開口部（１２）に対しその周縁部（１２ａ）に沿う横方向（Ｘ）へ貼り付けられる貼着面（３）を有する取着部（９）と、この袋（１１）の開口部（１２）側がその周縁部（１２ａ）に対し直交する縦方向（Ｚ）へ巻かれる巻取部（７）と、この取着部（９）及び巻取部（７）の横方向（Ｘ）の両側のうち少なくとも一方の側から突出する折曲部（６）とを備え、折り曲げた折曲部（６）と巻取部（７）との間で袋（１１）の開口部（１２）側を挟持する。取着部（９）の貼着面（３）には、請求項４の発明以外に、剥離シール（８）をなくし、熱により溶ける接着剤を塗布してもよい。この取着部（９）と巻取部（７）とは兼用してもよい。なお、袋（１１）とは、広義に解し、開口部（１２）から物を出し入れすることができる各種形態の収容体を含む。
【０００６】
請求項１の発明では、各種形態の袋（１１）に閉鎖具（１）を貼り付けて開口部（１２）を容易に閉塞することができるとともに、袋（１１）に収容された物の量に応じて袋（１１）内で不必要な空間をなくすことができ、袋（１１）の開口部（１２）の閉鎖具（１）として便利である。
【０００７】
請求項１の発明を前提とする請求項２の発明において、前記取着部（９）と巻取部（７）とは袋（１１）の開口部（１２）の縦方向（Ｚ）で互いに並設され、前記巻取部（７）と折曲部（６）とは袋（１１）の開口部（１２）の横方向（Ｘ）で互いに並設され、この取着部（７）と折曲部（６）との間に段差部（１０）を形成している。請求項２の発明では、取着部（９）を袋（１１）の開口部（１２）に貼り付け易くなり、袋（１１）の開口部（１２）側を巻取部（７）に巻き易くなり、折曲部（６）を折り曲げ易くなる。
【０００８】
請求項１または請求項２の発明を前提とする請求項３の発明において、前記取着部（９）は、接着剤（４）が塗布された貼着面（３）を覆う剥離シール（８）を有している。この剥離シール（８）を剥がすと、接着剤（４）が露出するため、貼着面（３）を袋（１１）の開口部（１２）に対しその周縁部（１２ａ）に沿う横方向（Ｘ）へ貼り付けることができる。請求項３の発明では、取着部（９）を袋（１１）の開口部（１２）に貼り付け易くなる。
【０００９】
請求項１または請求項２または請求項３の発明を前提とする請求項４の発明において、前記折曲部（６）はその折り曲げ方向で塑性変形し得る。請求項４の発明では、折曲部（６）を折り曲げ易くなるとともに、袋（１１）の開口部（１２）の閉塞状態を確実に維持することができる。
【００１０】
請求項５の発明にかかる袋開口部閉鎖具は下記のように構成されている。
接着剤（４）が塗布された貼着面（３）を有する貼着シール（２）を塑性変形可能な芯材（５）の外周に対しその貼着面（３）を内側にして巻き、この芯材（５）の両端部（５ａ）に貼着シール（２）を巻いてなる折曲部（６）と、この両折曲部（６）間の芯材（５）に貼着シール（２）を巻いてなる巻取部（７）とを設けている。その貼着シール（２）を芯材（５）側から突出させて露出させた貼着面（３）を剥離シール（８）で覆って取着部（９）を設けている。この取着部（９）と両折曲部（６）との間に段差部（１０）を形成している。
【００１１】
請求項５の発明では、各種形態の袋（１１）に閉鎖具（１）を貼り付けて開口部（１２）を容易に閉塞することができるとともに、袋（１１）に収容された物の量に応じて袋（１１）内で不必要な空間をなくすことができ、袋（１１）の開口部（１２）の閉鎖具（１）として便利であるばかりではなく、閉鎖具（１）の構造を簡単にすることができる。
【００１２】
請求項１から請求項５のうちいずれかの請求項の発明を前提とする請求項６の発明において、前記取着部（９）は、貼着面（３）を複数の横方向寸法（Ｌ）に変更し得る切断可能線（１３）を有している。ちなみに、この切断可能線（１３）としては、後記実施形態のようなミシン目以外に、使用者が鋏等により切断する位置を積極的に示す切断指示線であってもよい。請求項６の発明では、各種形態の袋（１１）で開口部（１２）の横方向寸法（Ｍ）に応じて取着部（９）の横方向寸法（Ｌ）を変更することができ、袋（１１）の開口部（１２）の閉鎖具（１）としてより一層便利である。
【発明の効果】
【００１３】
本発明は、各種形態の袋（１１）に使用する閉鎖具（１）において、開口部（１２）の開閉を容易にするとともに、収容物の量に応じて袋（１１）の容積を変更することができる。
【発明を実施するための最良の形態】
【００１４】
以下、本発明の実施形態にかかる袋開口部閉鎖具について図面を参照して説明する。
図１（ａ）及び図３（ａ）に示す第一実施形態にかかる閉鎖具１においては、接着剤４が塗布された貼着面３を有する貼着シール２が塑性変形可能な芯材５の外周に対しその貼着面３を内側にして巻かれている。この芯材５の両端部５ａに貼着シール２を巻いてなる折曲部６と、この両折曲部６間の芯材５に貼着シール２を巻いてなる巻取部７とが、芯材５の延設方向Ｘ（横方向）で互いに並設されている。その貼着シール２を芯材５側から突出させて露出させた貼着面３を剥離シール８で覆ってなる取着部９が、この巻取部７に対し、芯材５の延設方向Ｘに対し直交する方向Ｚ（縦方向）で並設されている。この取着部９の横方向Ｘの両側と両折曲部６との間に段差部１０が形成されている。
【００１５】
図２（ａ）に示す有底状の袋１１は開口部１２を有している。前記閉鎖具１を使用する場合には、取着部９において、剥離シール８を剥がした後、図２（ｂ）及び図３（ｂ）に示すように貼着面３を開口部１２に対しその周縁部１２ａに沿う横方向Ｘへ貼り付ける。次に、図２（ｃ）及び図３（ｃ）に示すように、袋１１内に収容された物品の量に応じて、開口部１２側をその周縁部１２ａに対し直交する縦方向Ｚへ巻く。その後、図２（ｄ）及び図３（ｄ）に示すように、両折曲部６を折り曲げてその折り曲げ方向で塑性変形させ、その両折曲部６と巻取部７との間で開口部１２側を挟持する。逆に、図２（ｄ）及び図３（ｄ）に示す閉塞状態から、図２（ｃ）及び図３（ｃ）に示す状態を経て、図２（ｂ）及び図３（ｂ）に示す開放状態にすることができる。その開放状態で袋１１内から物品を取り出すことができる。袋１１内に収容された物品の量が減った場合には、図２（ｅ）及び図２（ｆ）に示すように開口部１２側をさらに巻いて挟持する。
【００１６】
図１（ｂ）に示す第二実施形態にかかる閉鎖具１においては、前記第一実施形態にかかる閉鎖具１で取着部９の横方向Ｘの両側に複数のミシン目１３（切断可能線）が形成され、そのミシン目１３で囲まれた取着部９の両端部９ａ，９ｂ（貼着シール２及び剥離シール８）を除去することができる。そのため、例えば図１（ｃ）に示すように取着部９の両端部９ａを除去すると、取着部９の貼着面３の横方向寸法Ｌを小さくすることができる。図１（ｂ）に示す閉鎖具１は図１（ａ）に示す閉鎖具１と同様にして使用することができる。また、図２（ｂ）（ｃ）（ｄ）（ｅ）に対応する図４（ｂ）（ｃ）（ｄ）（ｅ）に示すように、図１（ｃ）に示す閉鎖具１も、図２（ａ）に示す袋１１よりも開口部１２の横方向Ｘの寸法Ｍの小さい図４（ａ）に示す袋１１について、同様にして使用することができる。
【図面の簡単な説明】
【００１７】
【図１】（ａ）は第一実施形態にかかる閉鎖具を示す正面図であり、（ｂ）（ｃ）はそれぞれ第二実施形態にかかる閉鎖具を示す正面図である。
【図２】（ａ）（ｂ）（ｃ）（ｄ）（ｅ）（ｆ）はそれぞれ第一実施形態にかかる閉鎖具の使用手順を示す説明図である。
【図３】（ａ）は図１（ａ）のＡ−Ａ線拡大断面図であり、（ｂ）は図２（ｂ）のＢ−Ｂ線部分拡大断面図であり、（ｃ）は図２（ｃ）のＣ−Ｃ線部分拡大断面図であり、（ｄ）は図２（ｄ）の拡大平面図である。
【図４】（ａ）（ｂ）（ｃ）（ｄ）（ｅ）（ｆ）はそれぞれ第二実施形態にかかる閉鎖具の使用手順を示す説明図である。
【符号の説明】
【００１８】
１…閉鎖具、２…貼着シール、３…貼着面、４…接着剤、５…芯材、５ａ…芯材の両端部、６…折曲部、７…巻取部、８…剥離シール、９…取着部、１０…段差部、１１…袋、１２…開口部、１２ａ…周縁部、１３…ミシン目（切断可能線）、Ｘ…横方向（芯材の延設方向）、Ｚ…縦方向、Ｌ…取着部の横方向寸法。
【図１】
2006001624.tif 000003
【図２】
2006001624.tif 000004
【図３】
2006001624.tif 000005
【図４】
2006001624.tif 000006